(57)【特許請求の範囲】
【請求項１】
発光素子と、
前記発光素子が実装される長尺状の発光素子基板と、
電源回路を備える電源基板と内部に空間を有し該電源基板を覆う筐体とを備え、前記発光素子に電力を供給する電源部と、
前記発光素子基板を支持する基板支持面と、前記基板支持面とは反対側の面である裏面とを含む支持部材と、
を有し、
前記電源部を前記支持部材の前記裏面に近接して配置し、前記電源基板を前記裏面全体と離間しかつ前記筐体の内部空間において前記支持部材寄りに配置する一方、前記電源基板の前記支持部材側とは逆側の面を前記筺体の前記内部空間に露出することで、前記電源回路で発生した熱を前記筺体よりも前記支持部材に伝わりやすくした
照明装置用発光ユニット。
【請求項２】
前記電源部は、
前記支持部材の前記裏面上に配置された絶縁部材
を有し、
前記電源基板は、前記絶縁部材上に配置されて、前記支持部材と絶縁される
請求項１に記載の照明装置用発光ユニット。
【請求項３】
前記絶縁部材は、前記電源基板を包んでいる
請求項２に記載の照明装置用発光ユニット。
【請求項４】
発光ユニットと、
前記発光ユニットが取り付けられる発光ユニット取付凹部を備える器具本体と、
を有し、
前記発光ユニットは、
発光素子と、
前記発光素子が実装される長尺状の発光素子基板と、
電源回路を備える電源基板と内部に空間を有し該電源基板を覆う筐体とを備え、前記発光素子に電力を供給する電源部と、
前記発光素子基板を支持する基板支持面と、前記基板支持面とは反対側の面である裏面とを含む支持部材と、
を有し、
前記電源部を前記支持部材の前記裏面に近接して配置し、前記電源基板を前記裏面全体と離間しかつ前記筐体の内部空間において前記支持部材寄りに配置する一方、前記電源基板の前記支持部材側とは逆側の面を前記筺体の前記内部空間に露出することで、前記電源回路で発生した熱を前記筺体よりも前記支持部材に伝わりやすくした
照明装置。
【発明の詳細な説明】
【技術分野】
【０００１】
本発明は、照明装置用発光ユニット及び照明装置に関する。
【背景技術】
【０００２】
従来、蛍光灯等の発光体が照明器具の器具本体に取り付けられ、器具本体が天井や壁等の被取付面に取り付けられる照明装置が広く用いられている。また、近年、発光素子として、従来用いられてきた白熱電球や蛍光灯に比べて消費電力が少なく、耐久性にも優れた発光ダイオード（ＬＥＤ：Light Emitting Diode）が多く用いられている。
このため、ＬＥＤを発光素子として使用した、天井又は壁取付用の照明装置が多数提案されている。例えば、以下の特許文献１には、発光素子を備える発光ユニットを天井等に取り付けられた器具本体に取り付けて、発光ユニットに対して電力を供給することにより、発光ユニットを発光させる照明装置が開示されている。また、例えば以下の特許文献２には、板金製の器具本体に板金製の反射笠を止め金具にて取り付ける照明装置が開示されている。
【先行技術文献】
【特許文献】
【０００３】
【特許文献１】特開２０１３−１７９０１４号公報
【特許文献２】特許第４０４５７８８号
【発明の概要】
【発明が解決しようとする課題】
【０００４】
しかしながら、上述した照明装置では、長尺の発光ユニットの中央部がたわむという問題がある。これは、器具本体には発光ユニットを取り付けるための取付部材が備えられているが、取付部材が設けられる位置には制限があり、器具本体の中央部には取付部材を設けることができない場合があるためである。
器具本体には、天井や壁面等の被取付面と接続するための取付ネジ用孔部や、発光ユニットと接続される電力供給用ケーブル及び電源部を収容するための空間が必要であり、取付部材の取付位置は制限される。このため、取付部材の取付位置を調整して発光ユニットのたわみを抑制することは困難である。
発光ユニットの中央部がたわんだ場合、器具本体と発光ユニットとの境界部分に隙間が生じて照明装置の外観が不良となる場合があった。
本発明は、このような事情に鑑みてなされたものであって、発光ユニットがたわんだ場合でも外観が良好な照明装置用発光ユニット及び照明装置の提供を目的とする。
【課題を解決するための手段】
【０００５】
上記課題を解決するために、本発明の一態様に係る照明装置用発光ユニットは、発光素子と、前記発光素子が実装される長尺状の発光素子基板と、電源回路を備える電源基板と内部に空間を有し該電源基板を覆う筐体とを備え、前記発光素子に電力を供給する電源部と、前記発光素子基板を支持する基板支持面と、前記基板支持面とは反対側の面である裏面とを含む支持部材と、を有し、前記電源部を前記支持部材の前記裏面に近接して配置し、前記電源基板を前記裏面全体と離間しかつ前記筐体の内部空間において前記支持部材寄りに配置する一方、前記電源基板の前記支持部材側とは逆側の面を前記筺体の前記内部空間に露出することで、前記電源回路で発生した熱を前記筺体よりも前記支持部材に伝わりやすくしたことを特徴とする。
【０００６】
また、本発明の他の態様に係る照明装置用発光ユニットは、上述の照明装置用発光ユニットにおいて、前記電源部が、前記支持部材の前記裏面上に配置された絶縁部材を有し、前記電源基板が、前記絶縁部材上に配置されて、前記支持部材と絶縁されていてもよい。
また、本発明の他の態様に係る照明装置用発光ユニットは、上述の照明装置用発光ユニ
ットにおいて、前記絶縁部材は、前記電源基板を包んでいていてもよい。
【０００７】
本発明の一態様に係る照明装置は、発光ユニットと、前記発光ユニットが取り付けられる発光ユニット取付凹部を備える器具本体と、を有し、前記発光ユニットは、発光素子と、前記発光素子が実装される長尺状の発光素子基板と、電源回路を備える電源基板と内部に空間を有し該電源基板を覆う筐体とを備え、前記発光素子に電力を供給する電源部と、前記発光素子基板を支持する基板支持面と、前記基板支持面とは反対側の面である裏面とを含む支持部材と、を有し、前記電源部を前記支持部材の前記裏面に近接して配置し、前記電源基板を前記裏面全体と離間しかつ前記筐体の内部空間において前記支持部材寄りに配置する一方、前記電源基板の前記支持部材側とは逆側の面を前記筺体の前記内部空間に露出することで、前記電源回路で発生した熱を前記筺体よりも前記支持部材に伝わりやすくしたことを特徴とする。
【発明の効果】
【０００８】
本発明によれば、発光ユニットがたわんだ場合でも外観が良好な照明装置用発光ユニット及び照明装置を得ることができる。
【図面の簡単な説明】
【０００９】
【図１】本発明の一実施形態に係る照明装置の外観を説明する斜視図である。
【図２】本発明の一実施形態に係る照明装置の外観を説明する正投影図である。
【図３】本発明の一実施形態に係る照明装置の発光ユニット側からの外観を説明する斜視図である。
【図４】本発明の一実施形態に係る照明装置の構成を説明する斜視断面図である。
【図５】本発明の一実施形態に係る照明装置の器具本体の外観を説明する斜視図である。
【図６】本発明の一実施形態に係る照明装置に設けられる、発光ユニットの位置を規制する位置規制部材を説明する図である。
【図７】本発明の一実施形態に係る照明装置の発光ユニットの外観を説明する斜視図である。
【図８】本発明の一実施形態に係る発光ユニットの断面図である。
【図９】本発明の一実施形態に係る発光ユニットの構成を示す分解斜視図である。
【図１０】本発明の一実施形態に係る発光ユニットが備える透光性カバーと支持部材の係合部を示す分解斜視図である。
【図１１】本発明の一実施形態に係るエンドカバーの構成例を説明する正投影図である。
【図１２】本発明の一実施形態に係る基板群の構成例を説明する平面図である。
【図１３】本発明の一実施形態に係る基板群の他の構成例を説明する平面図である。
【図１４】本発明の一実施形態に係る配線の接続の構成例を説明する断面斜視図である。
【図１５】本発明の一実施形態に係る支持部材の構成例を説明する斜視図である。
【図１６】本発明の一実施形態に係る基板固定部材２５の配置を説明する斜視図である。
【図１７】本発明の一実施形態に係る基板固定部材２５の構成例を説明する正投影図である。
【図１８】本発明の一実施形態に係る基板固定部材２５の他の構成例を説明する正投影図である。
【図１９】本発明の一実施形態に係る反射部品を基板固定部材２５に取り付けた状態を説明する斜視図である。
【図２０】本発明の一実施形態に係る反射部品を基板固定部材２５に取り付けた状態を説明する断面図である。
【図２１】本発明の一実施形態に係る基板群の構成例を説明する平面図である。
【図２２】本発明の一実施形態に係る電源部の構成を説明する分解斜視図である。
【図２３】本発明の一実施形態に係る配線を保護する保護機構を説明する断面図である。
【発明を実施するための形態】
【００１０】
以下、本発明の一実施形態に係る照明装置について説明する。なお、以下の実施形態において、照明装置が天井に取り付けられた場合に天井と対向する方向を照明装置の上方向とし、床方向を照明装置の下方向として説明する場合がある。また、図中、照明装置が天井に取り付けられた場合に鉛直上向き方向（天井方向）をＺ方向、床方向を−Ｚ方向とする場合がある。このとき、長尺形状の照明装置の長手方向の一方向をＸ方向、他方向を−Ｘ方向とし、長尺形状の照明装置の幅方向の一方向をＹ方向、他方向を−Ｙ方向とする場合がある。
【００１１】
［照明装置の全体構成］
図１は、本発明の一実施形態に係る照明装置１の外観を示す斜視図である。
図２は、照明装置１の外観を示す正投影図であり、図２（Ａ）は照明装置１の上面図、図２（Ｂ）は照明装置１の側面図、図２（Ｃ）は照明装置１の底面図、図２（Ｄ）は照明装置１の正面図、図２（Ｅ）は照明装置１の背面図である。また、図２（Ｂ）は照明装置１の右側面図であり、照明装置１の左側面図は、右側面図と略同様であるため図示を省略する。
図３は、照明装置１の発光ユニット２０側からの外観を示す斜視図である。
図４は、照明装置１の構成を示す斜視断面図である。
【００１２】
照明装置１は、例えば天井又は壁等の被取付面に取り付けられる照明装置用器具本体（以下、器具本体と記載する）１０と、発光素子２１を備えており器具本体１０に取り付けられる照明装置用発光ユニット（以下、発光ユニットと記載する）２０とを備える。
発光ユニット２０は、例えばＬＥＤ等の発光素子２１と発光素子２１が実装された基板群２３とを覆う透光性カバー２２とを備える。
器具本体１０は、発光ユニット２０の透光性カバー２２が入り込むように発光ユニット２０が取り付けられる発光ユニット取付凹部１１１を備える。器具本体１０の発光ユニット取付凹部１１１は、開口端に向かって広がっており、発光ユニット２０は、発光ユニット取付凹部１１１の内壁面に接触している。
【００１３】
［器具本体］
以下、器具本体１０の構成を説明する。
図５は、器具本体１０の外観を示す斜視図であり、図５（Ａ）は、器具本体１０の上方向からの外観を示す斜視図であり、図５（Ｂ）は、器具本体１０の下方向からの外観を示す斜視図である。
図６は、器具本体１０に設けられる、発光ユニット２０の位置を所定位置に規制する位置規制部材を示す図である。
図５及び図６に示すように、器具本体１０は、取付部材１１と、側板１２（１２ａ及び１２ｂ）と、バネ部１３（１３ａ及び１３ｂ）と、端子台１４と、吊りボルト用孔部１５と、電力供給ケーブル用孔部１６と、を備えている。
【００１４】
以下、器具本体１０の各部について詳細に説明する。
取付部材１１は、発光ユニット２０を取り付けるための発光ユニット取付凹部１１１と、発光ユニット取付凹部１１１を挟んで形成され、一方向に長く延びる側縁部１１２と、発光ユニット取付凹部１１１の底部である底板部１１４と、を備える。
発光ユニット取付凹部１１１は、合板等の材料を曲げ加工することにより、発光素子２１と発光素子２１を覆う透光性カバー２２とを含む発光ユニット２０の透光性カバー２２が入り込むように開口が設けられて形成される。発光ユニット取付凹部１１１は発光ユニット取付凹部１１１の開口端縁に向かって広がっている。
側縁部１１２は、例えば図５（Ｂ）に示す第１側縁部１１２ａ及び第２側縁部１１２ｂからなる。側縁部１１２は、発光ユニット２０に向かって突出する突形状を有している。なお、第１側縁部１１２ａ及び第２側縁部１１２ｂの少なくとも一方が発光ユニット２０に向かって（すなわち図５中の−Ｚ方向に向かって）突出する突形状を有していればよい。
底板部１１４は、天井や壁等の被取付面と対向しており、照明装置１を被取付面に取り付けるための吊りボルト用孔部１５や、電力供給ケーブルを照明装置１内に引き込むため
の電力供給ケーブル用孔部１６等を備えている。
【００１５】
側板１２は、発光ユニット取付凹部１１１の両端を覆うように取付部材１１に取り付けられる。図５（Ｂ）に示すように、第１側板１２ａは、発光ユニット取付凹部１１１の一端を覆うように取付部材１１に取り付けられる。第２側板１２ｂは、発光ユニット取付凹部１１１の他端を覆うように取付部材１１に取り付けられる。
ここで、「発光ユニット取付凹部１１１」とは、第１側縁部１１２ａ及び第２側縁部１１２ｂ、並びに第１側板１２ａ及び第２側板１２ｂで囲まれる空間を示す。また、取付部材１１に第１側板１２ａ及び第２側板１２ｂを取り付けることにより、開口が形成される。
【００１６】
図６（Ａ）及び図６（Ｂ）に示すように、器具本体１０は、発光ユニット２０の取り付け位置を規制する位置規制部材１１３を備えていてもよい。位置規制部材１１３は、発光ユニット取付凹部１１１に配置される。位置規制部材１１３は、発光ユニット２０が器具本体１０に取り付けられた際に発光ユニット２０と接触する。これにより、発光ユニット２０は、発光ユニット取付凹部１１１内の所定の位置に位置決めされる。
【００１７】
例えば図６（Ａ）に示すように、位置規制部材１１３は、発光ユニット取付凹部１１１の内壁から発光ユニット取付凹部１１１内に突出して設けられていてもよい。このとき、位置規制部材１１３は、発光ユニット取付凹部１１１の内壁に固定された金属材料等からなり、発光ユニット取付凹部１１１とは別部材で形成されている。また、位置規制部材１１３は、発光ユニット取付凹部１１１及び側縁部１１２と一体に形成されるように取付部材１１の合板を曲げ加工して形成してもよい。具体的には、発光ユニット取付凹部１１１の内壁の一部に切込みを形成し、その切込みが発光ユニット取付凹部１１１内に突出するように合板を折曲げることにより、例えば断面コ字状又は断面Ｕ字状の突出部である位置規制部材１１３を形成することができる。
【００１８】
また、例えば図６（Ｂ）に示すように、位置規制部材１１３は、発光ユニット取付凹部１１１の側板１２に配置されていてもよい。このとき、位置規制部材１１３は、発光ユニット取付凹部１１１の側板１２に突出して設けられる。具体的には、器具本体１０に発光ユニット２０を取り付けた際に発光ユニット２０と対向する対向領域（図６（Ｂ）において点線で示す領域）において、側板１２の一部を発光ユニット取付凹部１１１に向かって折り曲げることにより、位置規制部材１１３が形成される。
【００１９】
図５（Ｂ）に示すように、バネ部１３は、例えば取付部材１１の底板部１１４に固定される。バネ部１３は、後述する発光ユニット２０のバネ受部２７と係合することにより発光ユニット２０を器具本体１０の発光ユニット取付凹部１１１に取り付けた状態を維持することに利用される。具体的には、第１バネ部１３ａは発光ユニット２０の第１バネ受部２７ａと係合し、第２バネ部１３ｂは発光ユニット２０の第２バネ受部２７ｂと係合する。すなわち、第１バネ受部２７ａ及び第２バネ受部２７ｂ並びに第１バネ部１３ａ及び第２バネ部１３ｂは、発光ユニット取付凹部１１１に発光ユニット２０を取り付けた状態を維持する取付状態維持部として機能する。
【００２０】
端子台１４には、後述する電力供給ケーブルが接続される。具体的には、端子台１４には、天井又は壁等の被取付面から導出されて後述する電源部２８との間を電気的に接続する電力供給ケーブルが接続される。端子台１４は、例えばネジ等により取付部材１１に取り付けられる。
吊りボルト用孔部１５は、図示しない吊りボルトにより、天井又は壁等の被取付面に器具本体１０を取り付けるために設けられる。
電力供給ケーブル用孔部１６は、天井又は壁等の被取付面から導出された電力供給ケーブル４０を器具本体１０の発光ユニット取付凹部１１１内に引き込むために設けられる。
【００２１】
［発光ユニット］
以下、発光ユニット２０の構成を説明する。
図７は、発光ユニット２０の上方向からの外観を示す斜視図である。
図８は、図７に示す発光ユニット２０のＡ−Ａ’断面を示す断面図である。
図９は、発光ユニット２０の構成を示す分解斜視図である。
図７、図８及び図９に示すように、発光ユニット２０は、発光素子２１と、透光性カバー２２（主カバー部２２１、第１エンドカバー２２２、第２エンドカバー２２３）と、基板群２３と、支持部材２４と、基板固定部材２５（２５ａ〜２５ｎ）と、ネジ２６と、バネ受部２７（２７ａ及び２７ｂ）と、電源部２８と、反射部材２９（第１反射部品２９ａ、第２反射部品２９ｂ、第３反射部品２９ｃ）とを備えている。なお、図９において、基板固定部材２５ａを固定するネジ２６にのみ参照符号を付し、基板固定部材２５ｂから基板固定部材２５ｎを固定するネジについては参照符号を省略している。
【００２２】
以下、発光ユニット２０の各部について詳細に説明する。
（透光性カバー）
透光性カバー２２は、発光素子２１を覆い、発光ユニット２０を器具本体１０に取り付けた際に器具本体１０に入り込む形状を有している。透光性カバー２２は、発光素子２１から照射された光を拡散する機能を有している。
図９に示すように、透光性カバー２２は、発光素子２１を覆う主カバー部２２１と、第１エンドカバー２２２及び第２エンドカバー２２３とを備える。第１エンドカバー２２２は、主カバー部２２１の一端を覆うように取り付けられる。第２エンドカバー２２３も同様に、主カバー部２２１の他端を覆うように取り付けられる。
【００２３】
図４に示すように、発光ユニット２０は、透光性カバー２２の一部が器具本体１０の開口に入り込むようにして取り付けられる。このとき、発光ユニット２０は、透光性カバー２２の一部が器具本体１０の発光ユニット取付凹部１１１の内壁面に接触した状態で発光ユニット取付凹部１１１に取り付けられる。
これにより、発光ユニット２０がたわんだ場合であっても照明装置の外観不良が生じにくくなる。これは、発光ユニット２０がたわんだ場合に発光ユニット取付凹部１１１に入り込んでいた透光性カバー２２が露出するのみであり、器具本体１０と発光ユニット２０との間に隙間が生じなくなるためである。
【００２４】
図１０は、主カバー部２２１と支持部材２４及び第１エンドカバー２２２と支持部材２４のそれぞれの係合部を詳細に説明する分解斜視図である。図１０（Ａ）及び図１０（Ｂ）は、主カバー部２２１と、第１エンドカバー２２２と、支持部材２４との係合状態を説明するための図である。
図１１は、第１エンドカバー２２２及び第２エンドカバー２２３の構成を示す正投影図である。
図１０（Ａ）及び図１０（Ｂ）に示すように、主カバー部２２１は、主カバー部２２１を支持部材２４と固定するための第１固定用孔部である固定用孔部２２１ａ及び２２１ｂ（２２１ｂは図示せず）を有している。主カバー部の２２１の底面は、平坦形状に形成される。固定用孔部２２１ａ及び２２１ｂは、主カバー部２２１の支持部材２４と対向する領域に設けられる。固定用孔部２２１ａ及び２２１ｂは、例えば、長円形状に形成される。なお、主カバー部２２１は、固定用孔部２２１ａ及び２２１ｂが設けられた一端部と対向する第１エンドカバー２２２が取り付けられる側の他端部に、固定用孔部２２１ａ及び２２１ｂと同一形状の固定用孔部を有している。
また、主カバー部２２１の内壁面には、突出部２２１ｃ及び２２１ｄが形成されている。突出部２２１ｃ及び２２１ｄのそれぞれは、支持部材２４を保持している。
【００２５】
第１エンドカバー２２２は、支持部材２４に係合される第１係合部を有している。第１エンドカバー２２２の第１係合部は、支持部材２４の端部側に形成された第１被係合部（詳細は後述する）を係止可能に形成される。
支持部材２４に係合される第１係合部は、例えば以下のような構成とすることができる。
図１０（Ａ）及び図１０（Ｂ）、並びに図１１に示すように、第１エンドカバー２２２は、第１係合部として孔部２２２ａ及び２２２ｂを有する。孔部２２２ａ及び２２２ｂには、支持部材２４に設けられた第１被係合部である突出部２４ｇ及び２４ｈがそれぞれ係止される。
【００２６】
また、第１エンドカバー２２２は、第１係合部として上述した孔部２２２ａ及び２２２ｂの代わりに突出部（図示せず）を有していてもよい。この場合、支持部材２４には、第１被係合部として孔部を設け（図示せず）、第１エンドカバー２２２に設けられた突出部は、支持部材２４の孔部に係止可能に形成される。
【００２７】
さらに、第１エンドカバー２２２は、第１係合部（孔部２２２ａ及び２２２ｂ）とは別に、第２係合部を有している。第２係合部は、支持部材２４に形成された第２被係合部（詳細は後述する）を係止可能に形成される。第１エンドカバー２２２は、第２係合部として、例えば突出部２２２ｃ及び２２２ｄを有している。突出部２２２ｃ及び２２２ｄは、支持部材２４に設けられた第２係合部である係合用孔部２４ｉ及び２４ｊにそれぞれ係止される。
【００２８】
また、第２エンドカバー２２３は、第１エンドカバー２２２と同様に、第１係合部、第２係合部を有している。
【００２９】
（発光素子基板）
図１２は、基板群２３の構成を示す平面図である。
図１２に示すように、発光素子基板２３１及び２３２は、一方向に長く延びた長尺形状の板状部材であり、一方の面に複数の発光素子２１が実装される。図１２に示すように、長尺形状の複数の発光素子基板が、互いの短辺同士が対向する状態で発光素子基板の長手方向に列状に並べられて基板群２３を構成する。基板群２３は、例えば、２枚の発光素子基板２３１及び２３２で形成される。以下、基板群２３は、２枚の発光素子基板２３１及び２３２で形成されるものとして説明する。
【００３０】
図１２に示すように、発光素子基板２３１及び２３２には、発光素子２１に電力を供給するための配線２８ｄがそれぞれ接続される。このとき、発光素子基板２３１及び２３２は、後述する支持部材２４の基板支持面２４ａに設けられた貫通部２４ｄを通る配線２８ｄにより電源部２８と接続される。電源部２８の電源回路から供給された電力は、配線２８ｄを介して発光素子２１に供給される。
なお、図１２に示す配線２３ｃは、発光素子基板２３１及び２３２を電気的に接続するための配線である。
【００３１】
基板群２３上には、電源部２８から導出される配線２８ｄが接続される電源接続用端子群（コネクタ２３１ａ及び２３２ａ）と、隣り合う発光素子基板２３１及び２３２間を接続する配線２３ｃが接続される基板接続用端子群（コネクタ２３１ｂ及び２３２ｂ）とが設けられる。電源接続用端子群及び基板接続用端子群は、発光素子基板２３１及び２３２の対向する短辺側の端部にそれぞれ配置される。
すなわち、発光素子基板２３１の一方の短辺側の端部には、第１電源接続用端子であるコネクタ２３１ａと、第１基板接続用端子であるコネクタ２３１ｂとが設けられている。また、発光素子基板２３２の一方の短辺側の端部には、第２電源接続用端子であるコネクタ２３２ａと、第２基板接続用端子であるコネクタ２３２ｂとが設けられている。そして、発光素子基板２３１のコネクタ２３１ａ及びコネクタ２３１ｂが設けられた側の短辺と、発光素子基板２３２のコネクタ２３２ａ及びコネクタ２３２ｂが設けられた側の短辺とが対向配置されることにより、基板群２３が形成される。なお、発光素子基板２３１及び２３２は、互いに同一の構成を有していてもよい。
【００３２】
ここで、コネクタ２３１ａ及びコネクタ２３２ａの一方はプラス側端子であり、他方はマイナス側端子である。コネクタ２３１ｂ及びコネクタ２３２ｂは、配線２３ｃによって接続されている。
このため、基板群２３において、発光素子基板２３１上に設けられた複数の発光素子２１及び発光素子基板２３２上に設けられた複数の発光素子２１の全てがコネクタ２３１ａと、コネクタ２３２ａとの間で直列に接続される。
このような構成とすることにより、基板群２３の組み立て工程が容易になる。また、このような構成とすることにより、発光素子基板２３１及び２３２同士を接続する配線２３ｃ及び電源部２８からの配線２８ｄの引きまわし距離を短くすることができる。このため、ノイズの発生を抑制することができる。
【００３３】
また、電源接続用端子群（コネクタ２３１ａ及び２３２ａ）は、基板群２３の一方の長辺に沿って配置され、基板接続用端子群（コネクタ２３１ｂ及び２３２ｂ）は、基板群２３の他方の長辺に沿って配置される。
このとき、コネクタ２３１ａ及び２３２ａは、基板群２３上において少なくとも１個の発光素子２１を介して配置されることが好ましい。また、コネクタ２３１ｂ及び２３２ｂは、少なくとも１個の発光素子２１を介して配置されることが好ましい。これは、コネクタ２３１ａ及び２３２ａ、並びにコネクタ２３１ｂ及び２３２ｂのそれぞれの間の沿面距離を確保するためである。
【００３４】
なお、図１２に示すように、コネクタ２３１ａ及び２３１ｂは、発光素子基板２３１の短辺に最も近い位置に設けられた発光素子２１と、短辺に２番目に近い位置に設けられた発光素子２１との間の領域Ｘに設けられることが好ましい。また、コネクタ２３１ａ及び２３１ｂは、上述した領域Ｘのうち、短辺に２番目に近い位置に設けられた発光素子２１よりも、短辺に最も近い位置に設けられた発光素子２１に近い位置に設けられることが好ましい。
同様に、コネクタ２３２ａ及び２３２ｂは、発光素子基板２３２の短辺に最も近い位置に設けられた発光素子２１と短辺に２番目に近い位置に設けられた発光素子２１との間の領域Ｙに設けられることが好ましい。また、コネクタ２３２ａ及び２３２ｂは、上述した領域Ｙのうち、短辺に２番目に近い位置に設けられた発光素子２１よりも、短辺に最も近い位置に設けられた発光素子２１に近い位置に設けられることが好ましい。
【００３５】
また、図１２に示すコネクタ位置の他、図１３（Ａ）、図１３（Ｂ）及び図１３（Ｃ）に示すように電源接続用端子群（コネクタ２３１ａ及び２３２ａ）と基板接続用端子群（コネクタ２３１ｂ及び２３２ｂ）とを配置してもよい。
【００３６】
これにより、基板群２３の同一の長辺上に沿って配置されるコネクタ２３１ａ及び２３２ａ間、並びにコネクタ２３１ｂ及び２３２ｂ間のそれぞれの沿面距離を確保しつつ、発光素子基板２３１及び２３２上を覆う反射部材（詳しくは後述する）の面積をより大きくすることができる。
【００３７】
（支持部材）
支持部材２４は、発光素子２１が実装される基板群２３を支持する。支持部材２４は、発光素子２１の熱を放熱するヒートシンクの機能も有している。
図９及び図１５に示すように、支持部材２４は、基板群２３と対向して基板群２３を支持する基板支持面２４ａと、基板支持面２４ａの裏面側に設けられた電源部２８を支持する電源部支持面２４ｂと、基板支持面２４ａの両端に形成された光照射方向に突出する凸部２４ｃとを有している。基板支持面２４ａは、基板群２３の幅よりも広く形成されている。また、支持部材２４は、基板群２３を支持する基板支持面２４ａが凸部２４ｃに対して器具本体１０方向に凹むように形成されている。
【００３８】
支持部材２４は、基板支持面２４ａにおいて、基板群２３の幅方向の両端部に設けられる複数の基板固定部材２５（詳細は後述する）により基板群２３を固定する。なお、支持部材２４の基板支持面２４ａの裏面（電源部支持面２４ｂ）には、支持部材２４に基板固定部材２５を固定するためのネジ２６等により、複数の突起が生じる。
【００３９】
図１５に示すように、凸部２４ｃの頂部は、支持部材２４の外側ほど大きく突出するように傾斜して形成されることが好ましい。また、凸部２４ｃの頂部は、発光素子２１の１／２ビーム角領域内に入り込まない形状であることが好ましい。
【００４０】
図１４は、図１２のＢ−Ｂ’断面を示す斜視断面図である。図１２及び図１４に示すように、支持部材２４は、電源部２８から導出される配線２８ｄを通すための貫通部２４ｄを備える。貫通部２４ｄは、基板支持面２４ａ上に設けられる。
ここで、図７に示すように、支持部材２４は、支持部材２４の長尺方向の両端に基板群２３を固定するための第１の基板固定部及び第２の基板固定部を有している。第１の基板固定部及び第２の基板固定部は、例えば支持部材２４の長尺方向の両端において電源部支持面２４ｂに突出した基板固定部材２５を固定するためのネジ２６等を取り付けるネジ穴等の位置を示す。
貫通部２４ｄは、第１の基板固定部と第２の基板固定部との間に設けられることが好ましい。これにより、貫通部２４ｄを通して電源部支持面２４ｂから基板支持面２４ａに引き回される配線２８ｄが、電源部支持面２４ｂで露出したネジ２６の先端に引っかかることを防止することができる。
【００４１】
また、図７に示すように、支持部材２４は、支持部材２４の基板支持面の裏面側（電源部支持面２４ｂ）に、発光ユニット２０を器具本体１０に取り付けるための第１の取付部（第１バネ受部２７ａ）及び第２の取付部（第２バネ受部２７ｂ）が設けられている。
貫通部２４ｄは、第１バネ受部２７ａと第２バネ受部２７ｂとの間に設けられることがより好ましい。これにより、貫通部２４ｄを通して電源部支持面２４ｂから基板支持面２４ａに引き回される配線２８ｄが、電源部支持面２４ｂで露出したネジ２６の先端や、電源部支持面２４ｂに取り付けられた第１バネ受部２７ａ及び第２バネ受部２７ｂに引っかかることを防止することができる。
【００４２】
また、図１４に示すように、貫通部２４ｄは、支持部材２４の電源部２８と対向する位置に設けられることがさらに好ましい。電源部２８と対向する位置に貫通部２４ｄを設けることにより、電源部２８から導出した配線２８ｄは、支持部材２４の電源部支持面２４ｂに露出することなく、貫通部２４ｄを通じて基板支持面２４ａ上の基板群２３と接続することができる。このため、配線２８ｄを支持部材２４上の広い領域内で引き回す必要がなく、配線２８ｄを短くすることができ、発光ユニット２０の組み立て性が向上する。また、配線が２８ｄ外部に露出しないため、安全性が向上し、配線の二重被覆が不要となる。
【００４３】
図１５に示すように、支持部材２４は、支持部材２４の端部側に形成された第２固定用孔部である固定用孔部２４ｅ及び２４ｆを有する。固定用孔部２４ｅ及び２４ｆは、主カバー部２２１の固定用孔部２２１ａ及び２２１ｂと対向する位置にそれぞれ設けられる。 
支持部材２４と主カバー部２２１（図１０参照）とは、リベット等の主カバー部固定部品によって固定される。支持部材２４の固定用孔部２４ｅ及び主カバー部２２１の固定用孔部２２１ａ、並びに支持部材２４の固定用孔部２４ｆ及び主カバー部２２１の固定用孔部２２１ｂは、それぞれ図示しないリベット等によって固定される。この場合には、例えば、重なって位置する固定用孔部２４ｅ及び固定用孔部２２１ａ、並びに固定用孔部２４ｆ及び固定用孔部２２１ｂに主カバー部２２１側からリベットを通し、支持部材２４側でリベットを潰す。これにより、主カバー部２２１と支持部材２４とが固定される。
固定用孔部２４ｅ及び２４ｆは、例えば、円形状に形成される。支持部材２４の固定用孔部２４ｅ及び２４ｆを円形状に形成し、主カバー部２２１の固定用孔部２２１ａ及び２２１ｂを長円形状に形成することにより、高温環境下等で主カバー部２２１が変形した場合であっても、変形による固定用孔部２４ｅ及び２４ｆの位置ずれを吸収することができる。
【００４４】
支持部材２４は、支持部材２４の端部側に形成された第１被係合部を有する。
図１５に示すように、支持部材２４は、第１被係合部として、例えば支持部材２４の一部が突出した突出部２４ｇ及び２４ｈを有する。図１５に示す突出部２４ｇ及び２４ｈは、支持部材２４の基板支持面２４ａの一部を切り起こして、第１エンドカバー２２２の孔部２２２ａ及び２２２ｂ内で立ち上がるように形成され、孔部２２２ａ及び２２２ｂ（図１１参照）と係止される。
なお、支持部材２４は、第１被係合部として、突出部２４ｇ及び２４ｈの代わりに図示しない孔部を有していてもよい。この場合、第１エンドカバー２２２には第１係合部として突出部が設けられ、突出部が支持部材２４の孔部に係止される。
【００４５】
支持部材２４は、支持部材２４の端部側に形成された第２被係合部を有する。
図１５に示すように、支持部材２４は、第２被係合部として、例えば係合用孔部２４ｉ及び２４ｊ（係合用孔部２４ｊは図示せず）を有する。支持部材２４の係合用孔部２４ｉ及び２４ｊには、第１エンドカバー２２２が取り付けられた際に第１エンドカバー２２２の突出部２２２ｃ及び２２２ｄ（図１１参照）が係止される。
係合用孔部２４ｉ及び２４ｊは、例えば、長方形状に形成される。支持部材２４の係合用孔部２４ｉ及び２４ｊを長方形状に形成することにより、高温環境下等で第１エンドカバー２２２が変形した場合であっても、第１エンドカバー２２２の変形を吸収することができる。
【００４６】
また、支持部材２４は、第２エンドカバー２２３を取り付ける支持部材２４の他端部に、固定用孔部２４ｅ及び２４ｆ、突出部２４ｇ及び２４ｈ並びに係合用孔部２４ｉ及び２４ｊと同様の構成を有する固定用孔部、突出部及び孔部が設けられている。
【００４７】
（基板固定部材）
基板固定部材２５（２５ａ〜２５ｎ）は、支持部材２４の基板支持面２４ａにおいて、基板群２３の両端部に設けられ、基板群２３を支持部材２４に固定する。図９に示す発光ユニット２０では、基板固定部材２５ａから基板固定部材２５ｎの１４個の基板固定部材２５が基板群２３の両端部に複数備えられている。以下、基板固定部材２５ａから基板固定部材２５ｎを基板固定部材２５と記載する。
【００４８】
図１６に示すように、基板固定部材２５は、基板群２３の側部を支持し、かつ基板群２３の発光素子実装面上に突出する形状を有している。また、基板固定部材２５は、ネジ２６によって支持部材２４に固定される。
このため、基板群２３は、支持部材２４に対して浮きがないように固定される。
【００４９】
図１７は、図９における基板固定部材２５ａ〜２５ｃ，２５ｅ〜２５ｇ，２５ｈ〜２５ｊ，２５ｌ〜２５ｎの形状を示す正投影図である。図１７（Ａ）は基板固定部材の正面図であり、図１７（Ｂ）は基板固定部材の左側面図であり、図１７（Ｃ）は基板固定部材の右側面図であり、図１７（Ｄ）は基板固定部材の上面図であり、図１７（Ｅ）は基板固定部材の底面図であり、図１７（Ｆ）は基板固定部材の背面図である。
図１７に示す基板固定部材（以下、基板固定部材２５１と記載する）は、支持部材２４の基板支持面２４ａの両端に形成された光照射方向に突出する凸部２４ｃと基板群２３との間に配置される主部２５１ａと、基板群２３の実装面の一部を覆い基板群２３を支持部材２４方向に押さえる基板押さえ部２５１ｂと、反射部材を主部２５１ａの表面上に保持する反射部品保持部２５１ｃと、を有する。また、基板固定部材２５１は、基板固定部材２５１がネジ２６で固定される際にネジ止めされるネジ止め部２５１ｄを有する。
【００５０】
図１６及び図１７に示すように、基板固定部材２５１は、発光素子２１から照射された光を反射する反射部材を固定する。具体的には、基板固定部材２５１の基板押さえ部２５１ｂは、基板群２３とともに、発光素子２１を露出させかつ基板群２３を被覆する第１反射部品２９ａ（図９参照）を支持部材２４方向に押さえる。
また、基板固定部材２５１の反射部品保持部２５１ｃは、第１反射部品２９ａの幅方向の両端から、発光素子２１からの光の照射方向に向かって傾斜して配置される第２反射部品２９ｂ及び第３反射部品２９ｃ（図９参照）を主部２５１ａの表面上に保持する。このとき、反射部品保持部２５１ｃは、支持部材２４の凸部２４ｃの頂部との間に第２反射部品２９ｂ又は第３反射部品２９ｃを保持可能な間隙を設けた状態で、頂部の一部を覆うように形成される。すなわち、反射部品保持部２５１ｃは、基板固定部材２５１が支持部材２４に取り付けられた際に、支持部材２４の凸部２４ｃの頂部と密着しない形状に形成される。反射部品保持部２５１ｃと支持部材２４の凸部２４ｃの頂部との間に形成された間隙に第２反射部品２９ｂ又は第３反射部品２９ｃが保持可能とされる。
【００５１】
図１８は、図９における基板固定部材２５ｄ，２５ｋの形状を示す正投影図である。図１８（Ａ）は基板固定部材の正面図であり、図１８（Ｂ）は基板固定部材の左側面図であり、図１８（Ｃ）は基板固定部材の右側面図であり、図１８（Ｄ）は基板固定部材の上面図であり、図１８（Ｅ）は基板固定部材の底面図であり、図１８（Ｆ）は基板固定部材の背面図である。
図１８に示す基板固定部材（以下、基板固定部材２５２と記載する）は、基板固定部材２５１の主部２５１ａに対応する主部２５２ａと、基板押さえ部２５１ｂに対応する基板押さえ部２５２ｂと、反射部品保持部２５１ｃに対応する反射部品保持部２５２ｃと、ネジ止め部２５１ｄに対応するネジ止め部２５２ｄと、を有している。また、基板固定部材２５２は、さらに基板群２３に接続される配線２３ｃ及び２８ｄを固定する配線固定機構２５２ｅを有している。
基板固定部材２５２は、発光素子基板２３１及び２３２に接続される配線２３ｃ又は２８ｄ（図１２参照）を覆う位置に配置される。本実施形態の発光ユニット２０では、基板固定部材２５２は、基板群２３における発光素子基板２３１及び２３２のつなぎ目部分に配置される。配線固定機構２５２ｅは、基板固定部材２５２が支持部材２４に固定された場合でも配線２３ｃ又は２８ｄが導出可能な空間を確保可能な形状に形成されている。そして、配線２３ｃ又は２８ｄは、配線固定機構２５２ｅを通して発光素子基板２３１及び２３２と接続される。このため、基板固定部材２５２を用いることで、基板固定部材２５による配線２３ｃ及び２８ｄへの圧迫を防止することができる。
【００５２】
また、基板固定部材２５２の主部２５２ａ、基板押さえ部２５２ｂ、反射部品保持部２５２ｃ、及びネジ止め部２５２ｄについては、基板固定部材２５１の主部２５１ａ、基板押さえ部２５１ｂ、反射部品保持部２５１ｃ及びネジ止め部２５１ｄと同様の機能を有する。
【００５３】
このような基板固定部材２５（基板固定部材２５１及び２５２）は、例えば樹脂材料を射出成型することにより形成される。
基板固定部材２５は、高反射性材料で形成されることが好ましい。基板固定部材２５の一部が基板固定部材２５が第１反射部品２９ａ、第２反射部品２９ｂ又は第３反射部品２９ｃから露出しても、発光素子２１の光を効率よく反射することができるためである。
また、発光素子基板２３１及び２３２に接続される配線２３ｃ及び２８ｄを覆うように配置される基板固定部材２５（図９及び図１６に示す基板固定部材２５ｄ及び２５ｋ）は、透明材料で形成されることが好ましい。基板固定部材２５を通して配線２３ｃの配線状態を確認することができるため、基板固定部材２５による配線２３ｃ及び２８ｄの圧迫をより容易に防止することができる。
【００５４】
（反射部材）
反射部材２９は、発光素子２１から照射された光を反射する機能を有する。発光素子２１から照射された光は、反射部材２９によって予め設定した方向（例えば、床面に向かう方向）へ反射される。反射部材２９は、基板群２３、支持部材２４又は基板固定部材２５等の任意の個所で接着剤、ピン、ネジ等によって固定される。
【００５５】
図８及び図９に示すように、本実施形態に係る発光ユニット２０は、反射部材２９として、第１反射部品２９ａと、第２反射部品２９ｂと、第３反射部品２９ｃとを有している。第１反射部品２９ａは、発光素子２１を露出させかつ基板群２３（発光素子基板２３１及び２３２で）を被覆している。第２反射部品２９ｂは、第１反射部品２９ａの幅方向の一端部から、発光素子２１からの光の照射方向に向かって傾斜して配置される。第３反射部品２９ｃは、第１反射部品２９ａの幅方向の他端部から、発光素子２１からの光の照射方向に向かって傾斜して配置される。第１反射部品２９ａ、第２反射部品２９ｂ及び第３反射部品２９ｃは、互いに異なる部品である。これにより、第１反射部品２９ａ、第２反射部品２９ｂ及び第３反射部品２９ｃのそれぞれの取付けが容易になる。
【００５６】
また、基板群２３の発光素子２１の実装面側には、図示しない抵抗素子が設けられる場合がある。この場合、第１反射部品２９ａには、発光素子２１を露出させる開口とともに、抵抗素子を露出させる開口が設けられる。
第１反射部品２９ａに上述した開口を設けることにより、発光素子２１から照射された光が第１反射部品２９ａ、第２反射部品２９ｂ及び第３反射部品２９ｃの全面で反射され、効率的に照明装置１の発光に利用される。
【００５７】
図１９は、第１反射部品２９ａ、第２反射部品２９ｂ及び第３反射部品２９ｃを基板固定部材２５（２５ａ〜２５ｎ）に取り付けた状態を示す斜視図である。図２０は、図１９に示すＣ−Ｃ’断面を示す断面図である。
図１９及び図２０に示すように、第２反射部品２９ｂは、第２反射部品２９ｂの幅方向の基板群２３に隣接する側の一端が基板群２３の幅方向の一端よりも外側に位置するように配置される。また、第３反射部品２９ｃは、第３反射部品２９ｃの幅方向の基板群２３に隣接する側の一端が基板群２３の幅方向の他端よりも外側に位置するように配置される。すなわち、第２反射部品２９ｂ及び第３反射部品２９ｃは、基板群２３上に設けられた第１反射部品２９ａ上にかぶらないように配置される。
【００５８】
また、第２反射部品２９ｂは、第２反射部品２９ｂの幅方向の基板群２３に隣接する側の一端が基板群２３の幅方向の一端と隙間なく対向するように配置されることが好ましい。また、第３反射部品２９ｃは、第３反射部品２９ｃの幅方向の基板群２３に隣接する側の一端が基板群２３の幅方向の他端と隙間なく対向するように配置されることが好ましい。
ここで、本実施形態において「隙間なく対向」とは、第１反射部品２９ａ及び第２反射部品２９ｂ、並びに第１反射部品２９ａ及び第３反射部品２９ｃが完全に隙間なく配置される場合に限られない。「隙間なく対向」とは、基板群２３（発光素子基板２３１及び２３２）の実装面側から見た場合に、第２反射部品２９ｂの幅方向の基板群２３に隣接する側の一端の位置と、基板群２３の幅方向の一端の位置とが一致することをいう。
【００５９】
第１反射部品２９ａは、基板固定部材２５によって支持部材２４の基板支持面２４ａ上で固定される。また、第２反射部品２９ｂ及び第３反射部品２９ｃは、支持部材２４の凸部２４ｃの頂部と基板固定部材２５の一部との間に形成された間隙に嵌め込まれて固定される。具体的には、第２反射部品２９ｂ及び第３反射部品２９ｃは、支持部材２４の凸部２４ｃの頂部と基板固定部材２５１の反射部品保持部２５１ｃとの間に形成された間隙に嵌め込まれている。これにより、第２反射部品２９ｂ及び第３反射部品２９ｃは、支持部材２４の凸部２４ｃの頂部の形状に沿って傾斜する。なお、第２反射部品２９ｂと第３反射部品２９ｃは、異なる基板固定部材２５で固定されている。
【００６０】
これにより、組み立て後の発光ユニット２０において、第２反射部品２９ｂ及び第３反射部品２９ｃが、透光性カバーの内壁面に形成された突出部２２１ｃ及び２２１ｄにそれぞれ向かって傾斜して配置される。すなわち、第２反射部品２９ｂは、第２反射部品２９ｂの幅方向の基板群２３に隣接しない側の一端（すなわち、基板群２３に隣接する側の一端に対向する他端）が、透光性カバー２２の内壁面に形成された突出部２２１ｃに向かって傾斜して配置される。また、第３反射部品２９ｃは、第３反射部品２９ｃの幅方向の基板群２３に隣接しない側の一端（すなわち、基板群２３に隣接する側の一端に対向する他端）が、透光性カバー２２の内壁面に形成された突出部２２１ｄに向かって傾斜して配置される。これにより、第２反射部品２９ｂ又は第３反射部品２９ｃが重量等によって床方向にずれた場合であっても、透光性カバー２２の突出部２２１ｃ又は２２１ｄがストッパーとなり、第２反射部品２９ｂ又は第３反射部品２９ｃの落下を防止することができる。
【００６１】
また、図２１（Ａ）に示すように、基板群２３上に配置される第１反射部品２９ａは、発光素子基板２３１上に配置される第１反射部品２９１ａと、発光素子基板２３２上に配置される第１反射部品２９２ａとに分けられる。図２１（Ａ）において、第１反射部品２９１ａ及び第１反射部品２９２ａを斜線で示す。
このとき、第１反射部品２９１ａ及び２９２ａは、電源接続用端子群（コネクタ２３１ａ及び２３２ａ）と基板接続用端子群（コネクタ２３１ｂ及び２３２ｂ）とで囲まれる領域を除いた領域を被複する。すなわち、第１反射部品２９１ａは、基板群２３上の、基板群２３の一端部からコネクタ２３１ａ及び２３１ｂの設置位置までを被覆する。また、第１反射部品２９２ａは、基板群２３上の、基板群２３の他端部からコネクタ２３２ａ及び２３２ｂの設置位置までを被覆する。なお、図２１（Ａ）では、配線２３ｃ及び配線２８ｄの図示を省略している。
【００６２】
上述した「電源接続用端子群（コネクタ２３１ａ及び２３２ａ）と基板接続用端子群（コネクタ２３１ａ及び２３２ａ）とで囲まれる領域」には、発光素子基板２３１及び２３２上の対向する短辺側の端部に配置された２個以上の発光素子２１が含まれる。図２１では、第１反射部品２９１ａ及び２９２ａで覆われない領域に、４つの発光素子２１が含まれている。
【００６３】
さらに、図２１（Ｂ）に示すように、発光ユニット２０は、２枚の発光素子基板２３１及び２３２の短辺を跨いで覆うように配置された基板対向部用反射部品２９３ａを有していてもよい。図２１（Ｂ）において、第１反射部品２９１ａ、第１反射部品２９２ａ及び基板対向部用反射部品２９３ａを斜線で示す。
これにより、２枚の発光素子基板２３１及び２３２のつなぎ目部分においても発光素子２１から照射される光を十分に反射することができるため、基板群２３の全面において明るさを均一にすることができる。
【００６４】
（バネ受部）
図２２に示すように、バネ受部２７は、器具本体１０のバネ部１３（図５（Ｂ）参照）と係合することにより、発光ユニット２０を器具本体１０に取り付けた状態を維持することに利用される。具体的には、第１バネ受部２７ａは器具本体１０の第１バネ部１３ａと係合し、第２バネ受部２７ｂは器具本体１０の第２バネ部１３ｂと係合する。すなわち、バネ部１３（第１バネ部１３ａ及び第２バネ部１３ｂ）とバネ受部２７（第１バネ受部２７ａ及び第２バネ受部２７ｂ）は、発光ユニット取付凹部１１１に発光ユニット２０を取り付けた状態を維持する取付状態維持部として機能する。なお、取付状態維持部は、発光ユニット２０が器具本体１０に取り付けた状態が維持されれば、本実施形態で説明するバネ部１３及びバネ受部２７と異なる形状であってもよい。
【００６５】
（電源部）
電源部２８は、ＬＥＤ等の発光素子２１の点灯回路（即ち、電源回路）を内部に収納している。電源部２８は、図５で示される器具本体１０が取り付けられる天井等の被取付面から発光ユニット取付凹部１１１内に導出される電力供給ケーブルと接続される。
図２２に示すように、電源部２８は、電源回路を備える電源基板２８ａと、絶縁部材２８ｂと、電源基板２８ａ及び絶縁部材２８ｂを内部に収容する電源ボックス２８ｃと、発光素子２１に対して電力を供給するための配線２８ｄ（配線２８ｄは図２２に図示せず）とを有している。
電源部２８は、支持部材２４に近接して配置される。
【００６６】
電源基板２８ａに備えられた電源回路は、例えば、電力供給ケーブルから供給される交流電力を直流に変換し、その出力（即ち、直流電力）を発光素子２１に供給する。電源基板２８ａは、絶縁部材２８ｂの支持部材２４側の面に固定される。
また、図１４に示すように、電源基板２８ａは、電源ボックス２８ｃの内部空間において支持部材２４寄りに配置される。
【００６７】
絶縁部材２８ｂは、ポリプロピレン、ポリエチレン等の高融点で絶縁性を有する樹脂材料からなる。絶縁部材２８ｂは、支持部材２４の電源部支持面２４ｂ上に配置される。これにより、電源基板２８ａは、絶縁部材２８ｂ上に配置されて、支持部材２４と絶縁される。
なお、絶縁部材２８ｂは、例えばシート状部材を複数回折り曲げた箱型形状であり、電源基板２８ａの周囲を包んで配置される。
【００６８】
電源ボックス２８ｃは、プラスチック、アルミニウム又はステンレス等の材料からなる。電源ボックス２８ｃは、電源基板２８ａを覆う筐体である。
配線２８ｄは、支持部材２４の基板支持面２４ａに設けられた貫通部２４ｄを通って基板群２３に接続される。
【００６９】
電源部２８は、例えば、電源ボックス２８ｃに設けられた図示しない爪部によって支持部材２４の電源部支持面２４ｂに固定されている。また、電源部２８は、ネジ等の締結部材によって支持部材２４の電源部支持面２４ｂに固定されていてもよい。
電源部２８は、被取付面の法線方向に見て、図示しない電力供給ケーブルと重なっている。すなわち、電力供給ケーブルは、電源部２８の上面と器具本体１０との間に確保された電力供給ケーブル収容空間に配線される。このため、電力供給ケーブルによって発光ユニット２０の取付けが阻害されることがなくなる。
【００７０】
発光ユニット２０は、支持部材２４の貫通部２４ｄの内側に位置して配線２８ｄを保護する配線保護用絶縁部材を有していてもよい。ここで、貫通部２４ｄの「内側」とは、貫通部２４ｄの中心軸に向かう方向を示す。
発光ユニット２０では、支持部材２４の貫通部２４ｄを介して電源部２８から基板支持面２４ａ側に配線２８ｄが導出される。このとき、配線２８ｄが、支持部材２４の貫通部２４ｄの内壁に当たって損傷する可能性がある。例えば、配線２８ｄが被覆材で覆われている場合には、被覆材が剥がれるおそれがある。このため、貫通部２４ｄの内壁と配線２８ｄとが接触しにくくなるような配線保護用絶縁部材を設けることが好ましい。
【００７１】
配線保護用絶縁部材としては、以下のような例が挙げられる。
（１）第１の例
図２３（Ａ）は、図１２のＢ−Ｂ’断面を示す斜視断面図である。
貫通部２４ｄが支持部材２４の電源部２８に対向する位置に設けられている場合には、図２３（Ａ）に示すように、絶縁部材２８ｂが配線保護用絶縁部材を兼ねることができる。すなわち、電源基板２８ａと接続された配線２８ｄは、支持部材２４の貫通部２４ｄを通って基板支持面２４ａに設けられた基板群２３と接続される。このとき、電源基板２８ａと支持部材２４との間には絶縁部材２８ｂが備えられているため、絶縁部材２８ｂに、貫通部２４ｄよりも小さい貫通部２８１ｂを設けて、支持部材２４の貫通部２４ｄと絶縁部材２８ｂの貫通部２８１ｂとが重なるように絶縁部材２８ｂを配置する。このため、絶縁部材２８ｂによって、支持部材２４の貫通部２４ｄと配線２８ｄとを接触しにくくすることができる。
【００７２】
（２）第２の例
図２３（Ｂ）は、電源基板２８ａと、絶縁部材２８ｂと、支持部材２４に設けられた貫通部２４ｄを通じて、基板支持面２４ａ側に導出される配線２８ｄの構成を示す断面図である。
図２３（Ｂ）に示すように、絶縁部材２８ｂとは異なる部品である配線保護用絶縁部材２８ｅが、支持部材２４の基板支持面２４ａ及び電源部支持面２４ｂの少なくとも一方の面（図２３（Ｂ）では、電源部支持面２４ｂ）に密着して設けられていてもよい。配線保護用絶縁部材２８ｅは、例えば、絶縁性を有する樹脂材料で形成される。
図２３（Ｂ）に示すように、配線保護用絶縁部材２８ｅは、貫通部２４ｄよりも小さい貫通部２８１ｅを備えており、支持部材２４の貫通部２４ｄと、配線保護用絶縁部材２８ｅの貫通部２８１ｅとが重なるように配線保護用絶縁部材２８ｅを配置する。このため、配線保護用絶縁部材２８ｅによって、支持部材２４の貫通部２４ｄと配線２８ｄとが接触しにくくなり、配線２８ｄの損傷を抑制することができる。
第２の例の場合、第１の例のように、貫通部２４ｄが支持部材２４の電源部２８に対向する位置に設けられている必要はない。貫通部２４ｄが支持部材２４のどの位置に設けられていても、配線保護用絶縁部材２８ｅが貫通部２４ｄに密着して設けられていればよい。
【００７３】
（３）第３の例
図２３（ｃ）は、電源基板２８ａと、絶縁部材２８ｂと、支持部材２４に設けられた貫通部２４ｄを通じて基板支持面２４ａ側に導出される配線２８ｄとの構成を示す断面図である。
図２３（ｃ）に示すように、絶縁部材２８ｂとは異なる部品である配線保護用絶縁部材２８ｅが、少なくとも貫通部２４ｄの内壁を覆って設けられていてもよい。配線保護用絶縁部材２８ｅは、例えば、絶縁性を有する樹脂材料で形成される。
図２３（ｃ）に示すように、配線保護用絶縁部材２８ｅは少なくとも貫通部２４ｄの内壁を覆って設けられている。このため、支持部材２４の貫通部２４ｄの角部と配線２８ｄとが接触しにくくなり、配線２８ｄの損傷を抑制することができる。
また、配線保護用絶縁部材２８ｅが支持部材２４の基板支持面２４ａ及び電源部支持面２４ｂまで覆っていても構わない。この場合、配線保護用絶縁部材２８ｅは、支持部材２４の基板支持面２４ａ及び電源部支持面２４ｂと貫通部２４ｄの内壁とで形成される角部を覆っており、より配線２８ｄの損傷を抑制することができる。
第３の例の場合も、貫通部２４ｄが支持部材２４の電源部２８に対向する位置に設けられている必要はなく、貫通部２４ｄが支持部材２４のどの位置に設けられていても、配線保護用絶縁部材２８ｅが貫通部２４ｄの内壁を覆うように設けられていればよい。
【００７４】
［本発明の効果］
以上説明した本発明の一実施形態に係る照明装置によれば、以下の効果を得ることがで
きる。
（１）発光ユニットがたわんだ場合であっても、発光ユニット取付凹部に入り込んでいた発光ユニットの透光性カバーの一部が露出するのみであるため、照明装置の外観不良が生じない。
（２）発光ユニット取付凹部の空間を広くすることができるため、発光ユニット取付け作業の作業性を向上し、また、発光ユニットの電源部や電力供給用ケーブル等の収容性が向上する。
（３）照明装置の外観を良好に保つことができるとともに、発光ユニットが発光ユニット取付凹部の内壁面の少なくとも一部の領域と接触することにより、発光ユニットの取付位置の位置決めがなされる。
（４）電力供給ケーブルが収容される空間が発光ユニット取付凹部底面と発光ユニットとの間に確保され、電力供給ケーブルによって発光ユニットの取付けが阻害されることがなくなる。
（５）取付状態維持部によって発光ユニットが器具本体に引きつけられ、器具本体から発光ユニットが外れることを抑制することができる。
（６）電源部から導出される配線の引き回し距離を小さくすることができる。また、電源部から導出される配線が発光ユニットの外部に露出しにくくなる。電源から導出される配線の損傷を抑制することができる。このため、発光ユニットの安全性や外観性が向上する。
（７）反射シートやエンドカバー等の各部品の取付性が向上し、取り付けた部品が外れにくくなる。
（８）電源基板を、ヒートシンクを兼ねる支持基板に近接させて配置しているため、放熱性が向上する。
【００７５】
［その他］
本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【符号の説明】
【００７６】
１  照明装置
１０  器具本体
１３  バネ部
１１１  取付凹部
２０  発光ユニット
２１  発光素子
２２  透光性カバー
２２１  主カバー部
２２２  第１エンドカバー
２２３  第２エンドカバー
２４  支持部材
２４ｄ  貫通部
２５  基板固定部材
２８  電源部
【図１】
0005970509.tif 000002
【図２】
0005970509.tif 000003
【図３】
0005970509.tif 000004
【図４】
0005970509.tif 000005
【図５】
0005970509.tif 000006
【図６】
0005970509.tif 000007
【図７】
0005970509.tif 000008
【図８】
0005970509.tif 000009
【図９】
0005970509.tif 000010
【図１０】
0005970509.tif 000011
【図１１】
0005970509.tif 000012
【図１２】
0005970509.tif 000013
【図１３】
0005970509.tif 000014
【図１４】
0005970509.tif 000015
【図１５】
0005970509.tif 000016
【図１６】
0005970509.tif 000017
【図１７】
0005970509.tif 000018
【図１８】
0005970509.tif 000019
【図１９】
0005970509.tif 000020
【図２０】
0005970509.tif 000021
【図２１】
0005970509.tif 000022
【図２２】
0005970509.tif 000023
【図２３】
0005970509.tif 000024